(57)【特許請求の範囲】
【請求項１】
電話機本体と、
幅方向上両端に一対の腕部を有し、該一対の腕部の夫々を上記電話機本体に支持されて取り付けてあり、上記電話機本体を覆う閉じ位置と、閉じ位置に位置しているときに覆われていた部分を露出させる開き位置との間で回動する蓋と、
カムを有する軸と、該軸に対して回動可能に設けてあり、上記カムを挟むばねとよりなり、上記電話機本体内に組み込まれており、上記蓋の一対の腕部のうちの一方の腕部を支持して、上記蓋が上記電話機本体に対して、閉じ位置と開き位置との間を回動するように支持するヒンジモジュールとよりなり、
上記蓋と上記電話機本体との間を繋ぐ電線が上記蓋の一対の腕部のうち上記ヒンジモジュールによって支持されていない他方の腕部の内部を通るルートである構成であり、
上記電線は、帯状のフレキシブルプリント基板であり、途中に、該帯状のフレキシブルプリント基板が螺旋状に捲かれた空芯螺旋巻き部を有し、
上記蓋の他方の腕部は、内部が空洞でありに蓋の腕部は内部が空洞であり、内側面側に開口を有する構成であり、
上記帯状のフレキシブルプリント基板の空芯螺旋巻き部が上記他方の腕部の上記空洞内に存在して上記開口を通り抜けている構成であり、
上記ヒンジモジュールは、カムを有する軸と、該軸に対して回動可能に設けてあり、上記カムを挟むＵ字形のばねと、該軸に嵌合して取り付けてあり、該Ｕ字形のばねが該軸より抜け出ないように抜け止めする抜け止め部材とよりなり、
且つ、上記Ｕ字形のばねは、上記カムを挟む方向とは別の方向に延在し、上記電話機本体内又は上記蓋の一対の腕部のうちの一方の腕部内に組み込まれるときにすぼめられる抜け止め用Ｕ字形板ばね部を一体に有する構成としたことを特徴とする蓋を備えた電話機。
【請求項２】
電話機本体と、
幅方向上両端に一対の腕部を有し、該一対の腕部の夫々を上記電話機本体に支持されて取り付けてあり、上記電話機本体を覆う閉じ位置と、閉じ位置に位置しているときに覆われていた部分を露出させる開き位置との間で回動する蓋と、
カムを有する軸と、該軸に対して回動可能に設けてあり、上記カムを挟むばねとよりなり、上記電話機本体内に組み込まれており、上記蓋の一対の腕部のうちの一方の腕部を支持して、上記蓋が上記電話機本体に対して、閉じ位置と開き位置との間を回動するように支持するヒンジモジュールとよりなり、
上記蓋と上記電話機本体との間を繋ぐ電線が上記蓋の一対の腕部のうち上記ヒンジモジュールによって支持されていない他方の腕部の内部を通るルートである構成であり、
上記電線は、帯状のフレキシブルプリント基板であり、途中に、該帯状のフレキシブルプリント基板が螺旋状に捲かれた空芯螺旋巻き部を有し、
上記蓋の他方の腕部は、内部が空洞でありに蓋の腕部は内部が空洞であり、内側面側に開口を有する構成であり、
上記帯状のフレキシブルプリント基板の空芯螺旋巻き部が上記他方の腕部の上記空洞内に存在して上記開口を通り抜けている構成であり、
上記ヒンジモジュールは、角度を少し違えて設けてある第１のカムと第２のカムとを有する軸と、該軸に対して回動可能に設けてあり、上記第１のカムを挟む第１のＵ字形のばねと、該軸に対して回動可能に設けてあり、且つ上記第１のＵ字形のばねに対して回動可能であり、上記第２のカムを挟む第２のＵ字形のばねと、該軸に嵌合して取り付けてあり、上記第１、第２のＵ字形のばねが該軸より抜け出ないように抜け止めする抜け止め部材とよりなる構成としたことを特徴とする蓋を備えた電話機。
【請求項３】
電話機本体と、
幅方向上両端に一対の腕部を有し、該一対の腕部の夫々を上記電話機本体に支持されて取り付けてあり、上記電話機本体を覆う閉じ位置と、閉じ位置に位置しているときに覆われていた部分を露出させる開き位置との間で回動する蓋と、
カムを有する軸と、該軸に対して回動可能に設けてあり、上記カムを挟むばねとよりなり、上記蓋の一対の腕部のうちの一方の腕部内に組み込まれており、上記蓋の一対の腕部のうちの一方の腕部を上記電話機本体に対して支持して、上記蓋が上記電話機本体に対して、閉じ位置と開き位置との間を回動するように支持するヒンジモジュールとよりなり、
上記蓋と上記電話機本体との間を繋ぐ電線のルートが、上記蓋の一対の腕部のうち上記ヒンジモジュールが組み込まれていない他方の腕部の内部を通るルートである構成であり、
上記電線は、帯状のフレキシブルプリント基板であり、途中に、該帯状のフレキシブルプリント基板が螺旋状に捲かれた空芯螺旋巻き部を有し、
上記蓋の他方の腕部は、内部が空洞でありに蓋の腕部は内部が空洞であり、内側面側に開口を有する構成であり、
上記帯状のフレキシブルプリント基板の空芯螺旋巻き部が上記他方の腕部の上記空洞内に存在して上記開口を通り抜けている構成であり、
上記ヒンジモジュールは、カムを有する軸と、該軸に対して回動可能に設けてあり、上記カムを挟むＵ字形のばねと、該軸に嵌合して取り付けてあり、該Ｕ字形のばねが該軸より抜け出ないように抜け止めする抜け止め部材とよりなり、
且つ、上記Ｕ字形のばねは、上記カムを挟む方向とは別の方向に延在し、上記電話機本体内又は上記蓋の一対の腕部のうちの一方の腕部内に組み込まれるときにすぼめられる抜け止め用Ｕ字形板ばね部を一体に有する構成としたことを特徴とする蓋を備えた電話機。
【請求項４】
電話機本体と、
幅方向上両端に一対の腕部を有し、該一対の腕部の夫々を上記電話機本体に支持されて取り付けてあり、上記電話機本体を覆う閉じ位置と、閉じ位置に位置しているときに覆われていた部分を露出させる開き位置との間で回動する蓋と、
カムを有する軸と、該軸に対して回動可能に設けてあり、上記カムを挟むばねとよりなり、上記蓋の一対の腕部のうちの一方の腕部内に組み込まれており、上記蓋の一対の腕部のうちの一方の腕部を上記電話機本体に対して支持して、上記蓋が上記電話機本体に対して、閉じ位置と開き位置との間を回動するように支持するヒンジモジュールとよりなり、
上記蓋と上記電話機本体との間を繋ぐ電線のルートが、上記蓋の一対の腕部のうち上記ヒンジモジュールが組み込まれていない他方の腕部の内部を通るルートである構成であり、
上記電線は、帯状のフレキシブルプリント基板であり、途中に、該帯状のフレキシブルプリント基板が螺旋状に捲かれた空芯螺旋巻き部を有し、
上記蓋の他方の腕部は、内部が空洞でありに蓋の腕部は内部が空洞であり、内側面側に開口を有する構成であり、
上記帯状のフレキシブルプリント基板の空芯螺旋巻き部が上記他方の腕部の上記空洞内に存在して上記開口を通り抜けている構成であり、
上記ヒンジモジュールは、角度を少し違えて設けてある第１のカムと第２のカムとを有する軸と、該軸に対して回動可能に設けてあり、上記第１のカムを挟む第１のＵ字形のばねと、該軸に対して回動可能に設けてあり、且つ上記第１のＵ字形のばねに対して回動可能であり、上記第２のカムを挟む第２のＵ字形のばねと、該軸に嵌合して取り付けてあり、上記第１、第２のＵ字形のばねが該軸より抜け出ないように抜け止めする抜け止め部材とよりなる構成としたことを特徴とする蓋を備えた電話機。
【請求項５】
請求項１又は請求項３に記載の蓋を備えた電話機において、
上記ヒンジモジュールは、上記軸と、上記Ｕ字形のばねと、上記抜け止め部材とが有底筒体内に組み込まれた構成であり、コイルばねと共に上記電話機本体内又は上記蓋の一対の腕部のうちの一方の腕部内に組み込まれており、上記コイルばねにより突き出る方向に付勢されている構成としたことを特徴とする蓋を備えた電話機。
【請求項６】
請求項２又は請求項４に記載の蓋を備えた電話機において、
上記ヒンジモジュールは、上記軸と、上記第１のＵ字形のばねと、上記第２のＵ字形のばねと上記抜け止め部材とが有底筒体内に組み込まれた構成であり、コイルばねと共に上記電話機本体内又は上記蓋の一対の腕部のうちの一方の腕部内に組み込まれており、上記コイルばねにより突き出る方向に付勢されている構成としたことを特徴とする蓋を備えた電話機。
【発明の詳細な説明】
【０００１】
【発明の属する技術分野】
本発明は蓋を備えた電話機に係り、特に、電子部品を有する蓋を備えた電話機に関する。
スイッチ等の電子部品が組み込まれており、開閉可能である蓋を備えた電話機においては、蓋を支持するヒンジモジュールは、蓋と電話機本体との間を繋ぐ電線について、無理のない配線ルートが確保出来る構成が望ましい。
【０００２】
【従来の技術】
図１４は従来の一例の電話機１０を示す。電話機１０は、電話機本体１１と、開閉可能である蓋１２とを有する。ヒンジモジュール１３は、軸１４と、軸１４に嵌合している二つのＵ字形の板ばね１５，１６とよりなる構成を有し、電話機本体１１の端の筒状部１７内に組み込まれている。軸１４は、途中の位置にカム（図示せず）を有する。Ｕ字形の板ばね１５，１６はこのカムに作用している。軸１４は、筒状部１７を横切っており、両側の端部１８、１９が筒状部１７の端より突き出ている。Ｕ字形の板ばね１５，１６は、筒状部１７内に係止されている。蓋１２は、幅方向上両端に、腕部１２ａ，１２ｂを有する。蓋１２は、腕部１２ａを端部１８に係止し、腕部１２ｂを端部１９に係止して、軸１４に固定してある。
【０００３】
Ｕ字形の板ばね１５，１６がカムを挟む作用によって、蓋１２は、閉じた位置に保たれている。電話機１０を使用するときには、手で蓋１２を開く。Ｕ字形の板ばね１５，１６がカムを挟む作用によって、蓋１２は、今度は、図１４に示す開いた状態に保たれる。電話機１０は、この状態で使用される。
【０００４】
【発明が解決しようとする課題】
しかるに、従来の電話機１０は、蓋１２がスイッチ等の電子部品が組み込まれた構造であり、蓋１２と電話機本体１１とを電線で繋ぐ場合に、電線の配線のルートが確保しにくかった。即ち、従来は、図１４に示すように、軸１４に孔２０をあけ、電線２１は孔２０を通して配線していた。このため、電線２１の配線がしにくかった。また、配線する電線の数を増やすこと、及び、電線として、フレキシブルプリント基板を使用すること等はできなかった。
【０００５】
そこで、本発明は上記課題を解決した蓋を備えた電話機を提供することを目的とする。
【０００６】
【課題を解決するための手段】
請求項１の発明は、電話機本体と、
幅方向上両端に一対の腕部を有し、該一対の腕部の夫々を上記電話機本体に支持されて取り付けてあり、上記電話機本体を覆う閉じ位置と、閉じ位置に位置しているときに覆われていた部分を露出させる開き位置との間で回動する蓋と、
カムを有する軸と、該軸に対して回動可能に設けてあり、上記カムを挟むばねとよりなり、上記電話機本体内に組み込まれており、上記蓋の一対の腕部のうちの一方の腕部を支持して、上記蓋が上記電話機本体に対して、閉じ位置と開き位置との間を回動するように支持するヒンジモジュールとよりなり、
上記蓋と上記電話機本体との間を繋ぐ電線が上記蓋の一対の腕部のうち上記ヒンジモジュールによって支持されていない他方の腕部の内部を通るルートである構成であり、
上記電線は、帯状のフレキシブルプリント基板であり、途中に、該帯状のフレキシブルプリント基板が螺旋状に捲かれた空芯螺旋巻き部を有し、
上記蓋の他方の腕部は、内部が空洞でありに蓋の腕部は内部が空洞であり、内側面側に開口を有する構成であり、
上記帯状のフレキシブルプリント基板の空芯螺旋巻き部が上記他方の腕部の上記空洞内に存在して上記開口を通り抜けている構成とし、
上記ヒンジモジュールは、カムを有する軸と、該軸に対して回動可能に設けてあり、上記カムを挟むＵ字形のばねと、該軸に嵌合して取り付けてあり、該Ｕ字形のばねが該軸より抜け出ないように抜け止めする抜け止め部材とよりなり、
且つ、上記Ｕ字形のばねは、上記カムを挟む方向とは別の方向に延在し、上記電話機本体内又は上記蓋の一対の腕部のうちの一方の腕部内に組み込まれるときにすぼめられる抜け止め用Ｕ字形板ばね部を一体に有する構成としたことを特徴とする。
請求項２の発明は、電話機本体と、
幅方向上両端に一対の腕部を有し、該一対の腕部の夫々を上記電話機本体に支持されて取り付けてあり、上記電話機本体を覆う閉じ位置と、閉じ位置に位置しているときに覆われていた部分を露出させる開き位置との間で回動する蓋と、
カムを有する軸と、該軸に対して回動可能に設けてあり、上記カムを挟むばねとよりなり、上記電話機本体内に組み込まれており、上記蓋の一対の腕部のうちの一方の腕部を支持して、上記蓋が上記電話機本体に対して、閉じ位置と開き位置との間を回動するように支持するヒンジモジュールとよりなり、
上記蓋と上記電話機本体との間を繋ぐ電線が上記蓋の一対の腕部のうち上記ヒンジモジュールによって支持されていない他方の腕部の内部を通るルートである構成であり、
上記電線は、帯状のフレキシブルプリント基板であり、途中に、該帯状のフレキシブルプリント基板が螺旋状に捲かれた空芯螺旋巻き部を有し、
上記蓋の他方の腕部は、内部が空洞でありに蓋の腕部は内部が空洞であり、内側面側に開口を有する構成であり、
上記帯状のフレキシブルプリント基板の空芯螺旋巻き部が上記他方の腕部の上記空洞内に存在して上記開口を通り抜けている構成であり、
上記ヒンジモジュールは、角度を少し違えて設けてある第１のカムと第２のカムとを有する軸と、該軸に対して回動可能に設けてあり、上記第１のカムを挟む第１のＵ字形のばねと、該軸に対して回動可能に設けてあり、且つ上記第１のＵ字形のばねに対して回動可能であり、上記第２のカムを挟む第２のＵ字形のばねと、該軸に嵌合して取り付けてあり、上記第１、第２のＵ字形のばねが該軸より抜け出ないように抜け止めする抜け止め部材とよりなる構成としたことを特徴とする。
請求項３の発明は、電話機本体と、
幅方向上両端に一対の腕部を有し、該一対の腕部の夫々を上記電話機本体に支持されて取り付けてあり、上記電話機本体を覆う閉じ位置と、閉じ位置に位置しているときに覆われていた部分を露出させる開き位置との間で回動する蓋と、
カムを有する軸と、該軸に対して回動可能に設けてあり、上記カムを挟むばねとよりなり、上記蓋の一対の腕部のうちの一方の腕部内に組み込まれており、上記蓋の一対の腕部のうちの一方の腕部を上記電話機本体に対して支持して、上記蓋が上記電話機本体に対して、閉じ位置と開き位置との間を回動するように支持するヒンジモジュールとよりなり、
上記蓋と上記電話機本体との間を繋ぐ電線のルートが、上記蓋の一対の腕部のうち上記ヒンジモジュールが組み込まれていない他方の腕部の内部を通るルートである構成であり、
上記電線は、帯状のフレキシブルプリント基板であり、途中に、該帯状のフレキシブルプリント基板が螺旋状に捲かれた空芯螺旋巻き部を有し、
上記蓋の他方の腕部は、内部が空洞でありに蓋の腕部は内部が空洞であり、内側面側に開口を有する構成であり、
上記帯状のフレキシブルプリント基板の空芯螺旋巻き部が上記他方の腕部の上記空洞内に存在して上記開口を通り抜けている構成であり、
上記ヒンジモジュールは、カムを有する軸と、該軸に対して回動可能に設けてあり、上記カムを挟むＵ字形のばねと、該軸に嵌合して取り付けてあり、該Ｕ字形のばねが該軸より抜け出ないように抜け止めする抜け止め部材とよりなり、
且つ、上記Ｕ字形のばねは、上記カムを挟む方向とは別の方向に延在し、上記電話機本体内又は上記蓋の一対の腕部のうちの一方の腕部内に組み込まれるときにすぼめられる抜け止め用Ｕ字形板ばね部を一体に有する構成としたことを特徴とする。
請求項４の発明は、電話機本体と、
幅方向上両端に一対の腕部を有し、該一対の腕部の夫々を上記電話機本体に支持されて取り付けてあり、上記電話機本体を覆う閉じ位置と、閉じ位置に位置しているときに覆われていた部分を露出させる開き位置との間で回動する蓋と、
カムを有する軸と、該軸に対して回動可能に設けてあり、上記カムを挟むばねとよりなり、上記蓋の一対の腕部のうちの一方の腕部内に組み込まれており、上記蓋の一対の腕部のうちの一方の腕部を上記電話機本体に対して支持して、上記蓋が上記電話機本体に対して、閉じ位置と開き位置との間を回動するように支持するヒンジモジュールとよりなり、
上記蓋と上記電話機本体との間を繋ぐ電線のルートが、上記蓋の一対の腕部のうち上記ヒンジモジュールが組み込まれていない他方の腕部の内部を通るルートである構成であり、
上記電線は、帯状のフレキシブルプリント基板であり、途中に、該帯状のフレキシブルプリント基板が螺旋状に捲かれた空芯螺旋巻き部を有し、
上記蓋の他方の腕部は、内部が空洞でありに蓋の腕部は内部が空洞であり、内側面側に開口を有する構成であり、
上記帯状のフレキシブルプリント基板の空芯螺旋巻き部が上記他方の腕部の上記空洞内に存在して上記開口を通り抜けている構成であり、
上記ヒンジモジュールは、角度を少し違えて設けてある第１のカムと第２のカムとを有する軸と、該軸に対して回動可能に設けてあり、上記第１のカムを挟む第１のＵ字形のばねと、該軸に対して回動可能に設けてあり、且つ上記第１のＵ字形のばねに対して回動可能であり、上記第２のカムを挟む第２のＵ字形のばねと、該軸に嵌合して取り付けてあり、上記第１、第２のＵ字形のばねが該軸より抜け出ないように抜け止めする抜け止め部材とよりなる構成としたことを特徴とする。
請求項５の発明は、請求項１又は請求項３に記載の蓋を備えた電話機において、
上記ヒンジモジュールは、上記軸と、上記Ｕ字形のばねと、上記抜け止め部材とが有底筒体内に組み込まれた構成であり、コイルばねと共に上記電話機本体内又は上記蓋の一対の腕部のうちの一方の腕部内に組み込まれており、上記コイルばねにより突き出る方向に付勢されている構成としたことを特徴とする。
請求項６の発明は、請求項２又は請求項４に記載の蓋を備えた電話機において、
上記ヒンジモジュールは、上記軸と、上記第１のＵ字形のばねと、上記第２のＵ字形のばねと上記抜け止め部材とが有底筒体内に組み込まれた構成であり、コイルばねと共に上記電話機本体内又は上記蓋の一対の腕部のうちの一方の腕部内に組み込まれており、上記コイルばねにより突き出る方向に付勢されている構成としたことを特徴とする。
【００１１】
【発明の実施の形態】
図１は本発明の第１実施例になる携帯電話機３０を示す。携帯電話機３０は、電話機本体３１と、開閉可能である蓋３２と、ヒンジモジュール３３とを有する。
【００１２】
電話機本体３１は、略直方体であり、図１中Ｙ１端側より、スピーカ部３５、液晶表示部３６、キー部３７を有し、Ｙ２端に、筒状の略中空の隆起部３８を有する。蓋３２は、図１中Ｙ２端のＸ１，Ｘ２の幅方向上両端に、腕部４０、４１を有する。また、蓋３２は、複数のキー４２を有し、Ｙ２側にマイク４３を有し、内部に、プリント基板４４を有する。ヒンジモジュール３３は、大略、軸５０と、板ばね５１とよりなる。
【００１３】
ヒンジモジュール３３は、隆起部３８のＸ２側のヒンジモジュール組み込み部６０内に組み込まれており、板ばね５１がヒンジモジュール組み込み部６０内の凸部に係止されており、軸５０の端の矩形突部５０ａが、隆起部３８のＸ２側の端面６１より突き出ている。隆起部３８のＸ１側の端面６２には、軸受孔６３が形成してある。軸受孔６３の径ｄ１は、約７ｍｍと大きい。蓋３２の一方の腕部４０は、内側面側に、矩形凹部４５を有する。蓋３２の他方の腕部４１は、内部は空洞４６であり、内側面側に、開口４７、及び、この開口４６を囲むフランジ状の環状凸部４８を有する。開口４７は、径ｄ２が約５ｍｍと大きく、且つ、上記の空洞４６と連通している。
【００１４】
蓋３２は．腕部４０の矩形凹部４５がヒンジモジュール３３の矩形突部５０ａと係合し、腕部４１の環状凸部４８が軸受孔６３と嵌合した状態で、電話機本体３１に取り付けてあり、開閉可能である。なお、蓋３２は．腕部４０，４１を弾性的に外側に少し曲げて取り付けられる。携帯電話機３０を使用していない場合には、蓋３２は閉じ位置Ｐ１にあり、閉じており、キー部３７を覆っている。携帯電話機３０を使用するに際して、蓋３２は手で開けられ、開き位置Ｐ２に保持される。スピーカ部３５とマイク４３とは約１４５度離れた位置とされ、携帯電話機３０はこの状態で使用される。
【００１５】
７０は帯状のフレキシブルプリント基板であり、蓋３２内のプリント基板４４より引き出されており、腕部４１内の空洞４６内を延在し、開口４６を通り抜けて、隆起部３８内に入り込み、孔６４を通って、電話機本体３１内にまで到っている。帯状のフレキシブルプリント基板７０は、途中に、空芯でＸ軸に螺旋状の捲いた部分７１を有する。この空芯螺旋巻き部７１は、径ｄ２より少し小さい径ｄ３を有し、Ｘ１，Ｘ２方向に延在しており、空洞４６より開口４６を通り抜けて隆起部３８内に入り込んだ部分に存在している。
【００１６】
図１より分かるように、ヒンジモジュール３３は、蓋３２の幅方向上両端の腕部４０、４１のうち一方の腕部４０だけを支持する構成であるため、蓋３２と電話機本体３１とを繋ぐ帯状のフレキシブルプリント基板７０の配線ルートは、ヒンジモジュール３３を避けた配線ルート、即ち、ヒンジモジュール３３と少しも干渉しない配線ルートとなっている。なお、換言すれば、ヒンジモジュール３３と少しも干渉しない配線ルートを採り得るため、蓋３２と電話機本体３１とを繋ぐ電線として、多数の配線を有する帯状フレキシブルプリント基板７０を使用することが可能となっている。
【００１７】
また、開口４７は、径ｄ２が約５ｍｍと大きいため、空芯螺旋巻き部７１を余裕で収容出来る。また、空芯螺旋巻き部７１を採用したことにより、蓋３２の開閉操作による帯状フレキシブルプリント基板７０の傷みが効果的に抑えられる。蓋３２を開閉操作したとき、空芯螺旋巻き部７１全体がすぼまったりひろがったりして、空芯螺旋巻き部７１を形成している帯状フレキシブルプリント基板の全長が一様に曲げられることになり、帯状フレキシブルプリント基板７０の各部に作用する応力は僅かにとどまるからである。なお、帯状フレキシブルプリント基板７０は、空芯螺旋巻き部７１を有せず、単に適宜屈曲して延在していてもよい。
【００１８】
また、図１より分かるように、ヒンジモジュール組み込み部６０は隆起部３８のＸ２側に有るため、ヒンジモジュール３３は、電話機本体３１を分解せずともヒンジモジュール組み込み部６０から取り外すことが出来る。よって、ヒンジモジュール３３の保守がし易い。
【００１９】
また、ヒンジモジュール３３がモジュール化されているため、ヒンジモジュール３３は予め組立られており、ヒンジがモジュール化されていない場合に比べて、電話機３０は効率良く組立られる。
次に、図２を参照して、ヒンジモジュール３３について説明する。
【００２０】
ヒンジモジュール３３は、大略、軸５０に、板ばね５１が、Ｅワッシャ５２により取り付けられた構成を有する。図２中、Ｘ１，Ｘ２は、図１中のＸ１，Ｘ２と対応している。
軸５０は、Ｘ２方向端側から順に、矩形突部５０ａ、円形のフランジ５０ｂ、カム５０ｃ、溝５０ｄ、軸部５０ｅを有する。カム５０ｃは、平行である二つの平面５０ｃ−１，５０ｃ−２を有する。
【００２１】
板ばね５１は、中央に孔５１ａを有する十字形状の素材の各腕をＸ２方向に曲げてなる構造を有し、４つの板ばね片５１ｂ〜５１ｅを有する。板ばね片５１ｂと板ばね片５１ｃとが、ばね力をすぼむ方向に作用させてカム５０ｃを挟むＵ字形の板ばね部５１−１を構成する。板ばね片５１ｄと板ばね片５１ｅとが、ばね力を拡がる方向に作用させてヒンジモジュール収容部６０の内面に押し当たる抜け止め用のＵ字形の板ばね部５１−２を構成する。板ばね５１は、中央の孔５１ａを軸部５０ｅに支持されて、背面にワッシャ５３をあてがわれて、溝５０ｄに嵌合して取り付けてある抜け止め部材としてのＥワッシャ５２により抜け止めされている。板ばね５１と軸５０とは、独立に回動可能である。ヒンジモジュール３３単独の状態では、板ばね片５１ｂ、５１ｃは、カム５０ｃの平面５０ｃ−１，５０ｃ−２を挟んでいる。
【００２２】
図３（Ａ），（Ｂ）はヒンジモジュール組み込み部６０を示す。図３（Ｂ）は図３（Ａ）中、IIIB−IIIBに沿う断面図である。ヒンジモジュール組み込み部６０は、略円柱形状の凹状であり、略円柱の内周壁面６０ａを有し、奥部の中心に軸受部６０ｂを有し、且つ、奥部の周囲に、回り止め凸部６０ｃ，６０ｄ，６０ｅを有する。
【００２３】
ヒンジモジュール３３は、図４（Ａ），（Ｂ）に示すように、ヒンジモジュール組み込み部６０内に組み込まれている。軸５０は、Ｘ１側の軸部５０ｅが軸受部６０ｂに嵌合し、Ｘ２側の円形フランジ５０ｂがヒンジモジュール組み込み部６０の入り口部に嵌合して、両持ち支持された状態にある。板ばね５１は、全体が、ヒンジモジュール組み込み部６０内に入り込んでいる。抜け止め用のＵ字形の板ばね部５１−２は、強制的にすぼめられており、板ばね片５１ｄ，５１ｅが内周壁面６０ａに弾性的に押し当たっている。板ばね片５１ｄ，５１ｅと内周壁面６０ａとの間の摩擦力により、ヒンジモジュール３３はヒンジモジュール組み込み部６０内に保たれており、ヒンジモジュール組み込み部６０からの抜け出しを制限されている。また、板ばね片５１ｂ〜５１ｅの基部５１ｂ−１〜５１ｅ−１が回り止め凸部６０ｃ，６０ｄ，６０ｅと係合している。これによって、板ばね５１は、回動しない状態となっている。カム５０ｃを挟むＵ字形の板ばね部５１−１を構成する板ばね片５１ｂと板ばね片５１ｃとが、Ｚ１，Ｚ２方向上に整列している。
【００２４】
次に、ヒンジモジュール３３の動作について、図５（Ａ）乃至（Ｆ）を参照して説明する。
図５（Ａ）に示すように、携帯電話機３０を使用していず、蓋３２が閉じている場合には、ヒンジモジュール３３は、図５（Ｄ）に示す状態にある。カム５０ｃが斜めであり、板ばね片５１ｂ、５１ｃがカム５０ｃを挟んでおり、蓋３２はＡ２方向に付勢された状態で閉じている。
【００２５】
携帯電話機３０を使用するに際して、蓋３２を手でＡ１で示す開く方向に約９０度回動させると、板ばね片５１ｂ、５１ｃがカム５０ｃに作用する力が、軸５０をＡ２方向に回動させる方向から軸５０をＡ１方向に回動させる方向に変わり、蓋３２はＡ１で示す開く方向に約５５度回動して、図５（Ｂ）に示す開き位置Ｐ２に到る。ヒンジモジュール３３は、図５（Ｅ）に示すように、カム５０ｃの平面５０ｃ−１，５０ｃ−２が板ばね片５１ｂ、５１ｃによって挟まれた状態となり、板ばね片５１ｂ、５１ｃが平面５０ｃ−１，５０ｃ−２を挟むばね力によって蓋３２は開き位置Ｐ２に保たれる。
【００２６】
蓋３２にこれを過剰に開く方向の強い力が加わった場合には、図５（Ｆ）に示すように、カム５０ｃが板ばね片５１ｂ、５１ｃを押し拡げつつ回動し、蓋３２は図５（Ｃ）に示すように過剰に開かれる。蓋３２に作用している強い力が無くなると、蓋３２は板ばね片５１ｂ、５１ｃのばね力によってＡ２方向に回動されて開き位置Ｐ２に戻される。
【００２７】
図６は本発明の第２実施例になる携帯電話機３０Ａを示す。携帯電話機３０Ａは、図１の携帯電話機３０とは、ヒンジモジュール組み込み部６０の場所を異にする構成であり、図６中、図１に示す構成部分と同じ部分には同一符号を付し、図１に示す構成部分と対応する部分には添字Ａを付した同一符号を付す。携帯電話機３０Ａは、電話機本体３１Ａと、開閉可能である蓋３２Ａと、ヒンジモジュール３３とを有する。ヒンジモジュール組み込み部６０は、蓋３２Ａの腕部４０Ａに形成してある。ヒンジモジュール３３はヒンジモジュール組み込み部６０に組み込まれている。帯状フレキシブルプリント基板７０は、図１の携帯電話機３０の場合と同様に配線してある。
【００２８】
図７は本発明の第３実施例になる携帯電話機３０Ｂを示す。携帯電話機３０Ｂは、図１の携帯電話機３０とは、ヒンジモジュールを異にする構成であり、図７中、図１に示す構成部分と同じ部分には同一符号を付し、図１に示す構成部分と対応する部分には添字Ｂを付した同一符号を付す。携帯電話機３０Ｂは、電話機本体３１と、開閉可能である蓋３２と、ヒンジモジュール３３Ｂとを有する。
【００２９】
図８に示すように、ヒンジモジュール３３Ｂは、大略、軸５０Ｂに、第１のＵ字形ばねとしての板ばね５１と、第２のＵ字形ばねとしての板ばね５４とが、Ｅワッシャ５２により取り付けられた構成を有する。軸５０Ｂは、第１のカムとしてのカム５０ｃに加えて、第２のカムとしてのカム５０ｆを有する。カム５０ｆは、カム５０ｃに対してＡ２方向に約１２度ずれており、平行である二つの平面５０ｆ−１，５０ｆ−２を有する。板ばね５４は、Ｕ字形であり、孔５４ａと、２つの板ばね片５４ｂ，５４ｃとを有する。板ばね５４は、板ばね５１の内側に位置しており、２つの板ばね片５４ｂ，５４ｃがカム５０ｆを挟んでいる。板ばね５１はカム５０ｃを挟んでいる。
【００３０】
板ばね５１は、図９（Ａ）に示すように、カム５０ｃを挟むことによって板ばね５４に対してＡ２方向に付勢されている。これによって、板ばね５１は、図９（Ｄ）に示すように、回り止め凸部６０ｃ，６０ｄ，６０ｅに押し当たっている。また、板ばね５４は、図９（Ｃ）に示すように、カム５０ｆを挟むことによって板ばね５１に対してＡ１方向に付勢されている。これによって、板ばね５４は、図９（Ｄ）に示すように、回り止め凸部６０ｃ，６０ｅに押し当たっている。よって、ヒンジモジュール３３Ｂは、Ａ１，Ａ２方向にガタの無い状態でヒンジモジュール組み込み部６０内に組み込まれている。したがって、蓋３２は、図９（Ｂ），（Ｄ）に示すように、開き位置Ｐ２に、ガタの無い状態で保持され、携帯電話機３０Ｂは使い勝手良く使用される。
【００３１】
また、板ばね５１のばね力に加えて板ばね５４のばね力が作用するため、このことによっても、蓋３２は、開き位置Ｐ２にしっかり保持される。
図１０（Ａ）乃至（Ｆ）は、蓋３２の位置とヒンジモジュール３３Ｂの動作状態とを対応させて示す。ヒンジモジュール３３Ｂの動作は、軸５０Ｂに板ばね５１のばね力に加えて板ばね５４のばね力が作用する他は、図５に示す場合と同じである。
【００３２】
図１１は本発明の第４実施例になる携帯電話機３０Ｃを示す。携帯電話機３０Ｃは、図１の携帯電話機３０とは、ヒンジモジュールを異にする構成であり、図１１中、図１に示す構成部分と同じ部分には同一符号を付し、図１に示す構成部分と対応する部分には添字Ｃを付した同一符号を付す。携帯電話機３０Ｃは、電話機本体３１と、開閉可能である蓋３２と、ヒンジモジュール３３Ｃとを有する。携帯電話機３０Ｃは、蓋３２が、その腕部４０，４１が弾性的に外側に少しも曲がらない構造である場合に好適である。
【００３３】
図１２に示すように、ヒンジモジュール３３Ｃは、図８に示す構成のヒンジモジュール３３Ｂが有底筒体８０内に組み込まれた構造であり、背面側にコイルばね８１が配された状態でヒンジモジュール組み込み部６０内に組み込まれている。コイルばね８１が存在することによって、ヒンジモジュール３３Ｃは、力を加えることによって、図１１中、ヒンジモジュール組み込み部６０内に少し押し込まれ、力を解除すると、ヒンジモジュール組み込み部６０より少し突き出る。ヒンジモジュール３３Ｄをヒンジモジュール組み込み部６０内に押し込む操作をすることにより、蓋３２が、その腕部４０，４１が弾性的に外側に少しも曲がらない構造である場合にも、蓋３２が、取り付けられる。
【００３４】
なお、板ばね部５１ｄの凸部５１ｄ−１が有底筒体８０の開口８０ａに嵌合することによって、ヒンジモジュール３３Ｂが有底筒体８０に対して回り止めされており、且つ、有底筒体８０の外側の凸部８０ｂがヒンジモジュール組み込み部６０の溝部６０ｆに係合することにより、ヒンジモジュール３３Ｃがヒンジモジュール組み込み部６０に対して回り止めされている。
【００３５】
図１３はヒンジモジュールの別の例である。ヒンジモジュール３３Ｄは、図２中の板ばね５１に代えて、ばね性を有する線材を略Ｕ字状に曲げてなるばね部材９０を有する構成である。
なお、本発明は、携帯電話機に限らず、コードレス電話機にも適用出来る。また、請求項の「蓋」は、マイク等が組み込まれている蓋の他に、フリッパ等を意味するものである。
【００３６】
【発明の効果】
上述の如く、請求項１の発明によれば、ヒンジモジュールが、電話機本体内に組み込まれており、蓋の一対の腕部のうちの一方の腕部を支持して、蓋が電話機本体に対して、閉じ位置と開き位置との間を回動するように支持し、蓋と電話機本体との間を繋ぐ電線のルートが、蓋の一対の腕部のうちヒンジモジュールによって支持されていない他方の腕部の内部を通るルートである構成であり、上記電線は、帯状のフレキシブルプリント基板であり、途中に、該帯状のフレキシブルプリント基板が螺旋状に捲かれた空芯螺旋巻き部を有し、上記蓋の他方の腕部は、内部が空洞でありに蓋の腕部は内部が空洞であり、内側面側に開口を有する構成であり、上記帯状のフレキシブルプリント基板の空芯螺旋巻き部が上記他方の腕部の上記空洞内に存在して上記開口を通り抜けている構成としてあるため、配線される電線がヒンジモジュールと干渉することが起きにくく、よって、電線の本数が多い場合にも、支障なく電線を配線することが出来る。また、蓋と電話機本体とを繋ぐ電線として、多数の配線を有する帯状フレキシブルプリント基板を使用することが可能である。また、ヒンジがモジュール化されているため、モジュール化されていない場合に比べて、電話機が組立易い。また、電話機本体を分解せずともヒンジモジュールを取り外すことが出来、よって、ヒンジモジュールの保守がし易い。
また、ヒンジモジュールは、カムを有する軸と、該軸に対して回動可能に設けてあり、上記カムを挟むＵ字形のばねと、該軸に嵌合して取り付けてあり、該Ｕ字形のばねが該軸より抜け出ないように抜け止めする抜け止め部材とよりなり、且つ、上記Ｕ字形のばねは、上記カムを挟む方向とは別の方向に延在し、上記電話機本体内又は上記蓋の一対の腕部のうちの一方の腕部内に組み込まれるときにすぼめられる抜け止め用Ｕ字形板ばね部を一体に有する構成であるため、簡単な構造と出来、また、上記Ｕ字形のばねは、上記カムを挟む方向とは別の方向に延在し、上記電話機本体内又は上記蓋の一対の腕部のうちの一方の腕部内に組み込まれるときにすぼめられる抜け止め用Ｕ字形板ばね部を一体に有する構成であるため、部品点数を増やさないで電話機本体内より抜け出ないようにすることが出来る。
請求項２の発明によれば、ヒンジモジュールが、電話機本体内に組み込まれており、蓋の一対の腕部のうちの一方の腕部を支持して、蓋が電話機本体に対して、閉じ位置と開き位置との間を回動するように支持し、蓋と電話機本体との間を繋ぐ電線のルートが、蓋の一対の腕部のうちヒンジモジュールによって支持されていない他方の腕部の内部を通るルートである構成であり、上記電線は、帯状のフレキシブルプリント基板であり、途中に、該帯状のフレキシブルプリント基板が螺旋状に捲かれた空芯螺旋巻き部を有し、上記蓋の他方の腕部は、内部が空洞でありに蓋の腕部は内部が空洞であり、内側面側に開口を有する構成であり、上記帯状のフレキシブルプリント基板の空芯螺旋巻き部が上記他方の腕部の上記空洞内に存在して上記開口を通り抜けている構成としてあるため、配線される電線がヒンジモジュールと干渉することが起きにくく、よって、電線の本数が多い場合にも、支障なく電線を配線することが出来る。また、蓋と電話機本体とを繋ぐ電線として、多数の配線を有する帯状フレキシブルプリント基板を使用することが可能である。また、ヒンジがモジュール化されているため、モジュール化されていない場合に比べて、電話機が組立易い。また、電話機本体を分解せずともヒンジモジュールを取り外すことが出来、よって、ヒンジモジュールの保守がし易い。
また、ヒンジモジュールは、角度を少し違えて設けてある第１のカムと第２のカムとを有する軸と、該軸に対して回動可能に設けてあり、上記第１のカムを挟む第１のＵ字形のばねと、該軸に対して回動可能に設けてあり、且つ上記第１のＵ字形のばねに対して回動可能であり、上記第２のカムを挟む第２のＵ字形のばねと、該軸に嵌合して取り付けてあり、上記第１、第２のＵ字形のばねが該軸より抜け出ないように抜け止めする抜け止め部材とよりなる構成であるため、第１、第２のＵ字形のばねがずれていることを利用して、ヒンジモジュールの電話機本体に対する回動方向のガタを無くし得、且つ、カムを挟むばね力を増し得、よって、蓋を開き位置にしっかりと保持することが出来る。
請求項３の発明によれば、ヒンジモジュールが、蓋の一対の腕部のうちの一方の腕部内に組み込まれており、蓋の一対の腕部のうちの一方の腕部を電話機本体に対して支持し、且つ、蓋と電話機本体との間を繋ぐ電線のルートが、蓋の一対の腕部のうち上記ヒンジモジュールが組み込まれていない他方の腕部の内部を通るルートである構成であり、上記電線は、帯状のフレキシブルプリント基板であり、途中に、該帯状のフレキシブルプリント基板が螺旋状に捲かれた空芯螺旋巻き部を有し、上記蓋の他方の腕部は、内部が空洞でありに蓋の腕部は内部が空洞であり、内側面側に開口を有する構成であり、上記帯状のフレキシブルプリント基板の空芯螺旋巻き部が上記他方の腕部の上記空洞内に存在して上記開口を通り抜けている構成としてあるため、配線される電線がヒンジモジュールと干渉することが起きにくく、よって、電線の本数が多い場合にも、支障なく電線を配線することが出来る。また、蓋と電話機本体とを繋ぐ電線として、多数の配線を有する帯状フレキシブルプリント基板を使用することが可能である。また、ヒンジがモジュール化されているため、モジュール化されていない場合に比べて、電話機が組立易い。また、電話機本体を分解せずともヒンジモジュールを取り外すことが出来、よって、ヒンジモジュールの保守がし易い。
また、ヒンジモジュールは、カムを有する軸と、該軸に対して回動可能に設けてあり、上記カムを挟むＵ字形のばねと、該軸に嵌合して取り付けてあり、該Ｕ字形のばねが該軸より抜け出ないように抜け止めする抜け止め部材とよりなり、且つ、上記Ｕ字形のばねは、上記カムを挟む方向とは別の方向に延在し、上記電話機本体内又は上記蓋の一対の腕部のうちの一方の腕部内に組み込まれるときにすぼめられる抜け止め用Ｕ字形板ばね部を一体に有する構成であるため、簡単な構造と出来、また、上記Ｕ字形のばねは、上記カムを挟む方向とは別の方向に延在し、上記電話機本体内又は上記蓋の一対の腕部のうちの一方の腕部内に組み込まれるときにすぼめられる抜け止め用Ｕ字形板ばね部を一体に有する構成であるため、部品点数を増やさないで電話機本体内より抜け出ないようにすることが出来る。
請求項４の発明によれば、ヒンジモジュールが、蓋の一対の腕部のうちの一方の腕部内に組み込まれており、蓋の一対の腕部のうちの一方の腕部を電話機本体に対して支持し、且つ、蓋と電話機本体との間を繋ぐ電線のルートが、蓋の一対の腕部のうち上記ヒンジモジュールが組み込まれていない他方の腕部の内部を通るルートである構成であり、上記電線は、帯状のフレキシブルプリント基板であり、途中に、該帯状のフレキシブルプリント基板が螺旋状に捲かれた空芯螺旋巻き部を有し、上記蓋の他方の腕部は、内部が空洞でありに蓋の腕部は内部が空洞であり、内側面側に開口を有する構成であり、上記帯状のフレキシブルプリント基板の空芯螺旋巻き部が上記他方の腕部の上記空洞内に存在して上記開口を通り抜けている構成としてあるため、配線される電線がヒンジモジュールと干渉することが起きにくく、よって、電線の本数が多い場合にも、支障なく電線を配線することが出来る。また、蓋と電話機本体とを繋ぐ電線として、多数の配線を有する帯状フレキシブルプリント基板を使用することが可能である。また、ヒンジがモジュール化されているため、モジュール化されていない場合に比べて、電話機が組立易い。また、電話機本体を分解せずともヒンジモジュールを取り外すことが出来、よって、ヒンジモジュールの保守がし易い。
また、ヒンジモジュールは、カムを有する軸と、該軸に対して回動可能に設けてあり、上記カムを挟むＵ字形のばねと、該軸に嵌合して取り付けてあり、該Ｕ字形のばねが該軸より抜け出ないように抜け止めする抜け止め部材とよりなり、且つ、上記Ｕ字形のばねは、上記カムを挟む方向とは別の方向に延在し、上記電話機本体内又は上記蓋の一対の腕部のうちの一方の腕部内に組み込まれるときにすぼめられる抜け止め用Ｕ字形板ばね部を一体に有する構成であるため、簡単な構造と出来、また、上記Ｕ字形のばねは、上記カムを挟む方向とは別の方向に延在し、上記電話機本体内又は上記蓋の一対の腕部のうちの一方の腕部内に組み込まれるときにすぼめられる抜け止め用Ｕ字形板ばね部を一体に有する構成であるため、部品点数を増やさないで電話機本体内より抜け出ないようにすることが出来る。
請求項５の発明は、請求項１又は請求項３に記載の蓋を備えた電話機において、上記ヒンジモジュールは、上記軸と、上記Ｕ字形のばねと、上記抜け止め部材とが有底筒体内に組み込まれた構成であり、コイルばねと共に上記電話機本体内又は上記蓋の一対の腕部のうちの一方の腕部内に組み込まれており、上記コイルばねにより突き出る方向に付勢されている構成としたため、ヒンジモジュールを押し込むことによって、蓋が、その腕部が弾性的に外側に少しも曲がらない構造である場合にも、蓋を電話機本体に支障無く取り付けることが出来る。
請求項６の発明は、請求項２又は請求項４に記載の蓋を備えた電話機において、上記ヒンジモジュールは、上記軸と、上記第１のＵ字形のばねと、上記第２のＵ字形のばねと上記抜け止め部材とが有底筒体内に組み込まれた構成であり、コイルばねと共に上記電話機本体内又は上記蓋の一対の腕部のうちの一方の腕部内に組み込まれており、上記コイルばねにより突き出る方向に付勢されている構成としたため、ヒンジモジュールを押し込むことによって、蓋が、その腕部が弾性的に外側に少しも曲がらない構造である場合にも、蓋を電話機本体に支障無く取り付けることが出来る。
【図面の簡単な説明】
【図１】本発明の第１実施例になる携帯電話機の斜視図である。
【図２】図１中のヒンジモジュールを示す図である。
【図３】図１中、ヒンジモジュール組込み部を示す図である。
【図４】ヒンジモジュールがヒンジモジュール組込み部内に組み込まれている状態を示す図である。
【図５】蓋の位置とヒンジモジュールの動作状態とを対応させて示す図である。
【図６】本発明の第２実施例になる携帯電話機の斜視図である。
【図７】本発明の第３実施例になる携帯電話機の斜視図である。
【図８】図７中のヒンジモジュールを示す図である。
【図９】ヒンジモジュールがガタの無い状態でヒンジモジュール組み込み部内に組み込まれていることを示す図である。
【図１０】蓋の位置とヒンジモジュールの動作状態とを対応させて示す図である。
【図１１】本発明の第４実施例になる携帯電話機の斜視図である。
【図１２】図１０中のヒンジモジュールを示す図である。
【図１３】ヒンジモジュールの変形例を示す図である。
【図１４】従来の携帯電話機の１例を示す図である。
【符号の説明】
３０，３０Ａ，３０Ｂ，３０Ｃ  携帯電話機
３１，３１Ａ  電話機本体
３２，３２Ａ  蓋
３３，３３Ａ，３３Ｃ  ヒンジモジュール
３５  スピーカ
３６  液晶表示部
３７  キー部
３８  筒状の略中空の隆起部
４０、４１  腕部
４２  キー
４３  マイク
４４  プリント基板
４５  矩形凹部
４６  空洞
４７  開口
４８  環状凸部
５０，５０Ｂ  軸
５０ａ  矩形突部
５０ｂ  円形フランジ
５０ｃ，５０ｆ  カム
５０ｃ−１，５０ｃ−２  平行な平面
５０ｄ  溝
５０ｅ  軸
５１  板ばね
５１−１  Ｕ字状板ばね部
５１−２  抜け止め用Ｕ字状板ばね部
５１ａ  孔
５１ｂ〜５１ｅ  板ばね片
５２  Ｅワッシャ
５３  ワッシャ
５４  板ばね
５４ａ  孔
５４ｂ，５４ｃ  板ばね片
６０  ヒンジモジュール組み込み部
６０ａ  内周壁面
６０ｂ  軸受部
６０ｃ、６０ｄ，６０ｅ  回り止め部
６１  Ｘ２端面
６２  Ｘ１端面
６３  軸受孔
６４  孔
７０  帯状のフレキシブルプリント基板
７１  空芯螺旋巻き部
８０  筒体
８０ａ  開口
８０ｂ  凸部
８１  コイルばね
９０  ばね性を有する線材を略Ｕ字状に曲げてなるばね部材
【図１】
0003751343.tif 000002
【図２】
0003751343.tif 000003
【図３】
0003751343.tif 000004
【図４】
0003751343.tif 000005
【図５】
0003751343.tif 000006
【図６】
0003751343.tif 000007
【図７】
0003751343.tif 000008
【図８】
0003751343.tif 000009
【図９】
0003751343.tif 000010
【図１０】
0003751343.tif 000011
【図１１】
0003751343.tif 000012
【図１２】
0003751343.tif 000013
【図１３】
0003751343.tif 000014
【図１４】
0003751343.tif 000015